(57)【要約】      （修正有）【課題】水槽等の底面及び側壁とその隅部を確実に清掃する清掃装置の提供。【解決手段】補助杆５の先端側５ａはブラシ部であって、斜方向ブラシ４ａと、縦方向ブラシ４ｂの基端側を固定し、前記補助杆５上へ水平支板６を固着し、水平支板６上の前後へ、スプリングシリンダー７を立設し、前記水平支板６の中央部へスプリングシリンダー８を横設する。各車輪が水槽の底面２７又は側壁２８に当接し、ブラシ杆２の位置を変えると、水槽の底面及び側壁の状態によって、車輪に受ける外力が変動するので、これにつれてロッドがスプリングし抗し、又はスプリングの弾力で、底面形状に沿って移動する。従って各ブラシ３，４ａ、４ｂの先端側はほぼ等圧で壁面へ弾力的に接触する。  【選択図】図２
0003116287.tif 000002
【実用新案登録請求の範囲】
【請求項１】
下面にブラシを植設した細長いブラシ杆の中央部に支持杆の下端を取付け、該支持杆の上部と前記ブラシ杆とを張度の調節できるワイヤーで張設した装置において、ブラシ杆の両先端部に、清掃すべき水槽等の側壁面下部と、底面とのなす隅部の清掃ブラシを側壁面及び底面に当接できるように取付けたことを特徴とする清掃装置。
【請求項２】
下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端部に、隅部の清掃ブラシを下向き及び斜横向に植設したことを特徴とする清掃装置。
【請求項３】
下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端に補助杆を軸方向の位置調節自在に取付け、前記補助杆に、隅部の清掃ブラシを下向き及び斜横向に植設したことを特徴とする清掃装置。
【請求項４】
下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端に補助杆を軸方向の位置調節自在に取付け、前記補助杆に、隅部の清掃ブラシを下向き及び斜横向に植設し、前記補助杆は、側壁面側へスプリングで付勢し、ブラシと側壁面とを弾力的に当接させたことを特徴とする清掃装置。
【請求項５】
下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端に補助杆を軸方向の位置調節自在に取付け、前記補助杆に、隅部の清掃ブラシを下向き及び斜横向に植設し、前記補助杆に、槽底面及び側壁面と弾力的に当接できる車輪を有するキャスターを取付けたことを特徴とする清掃装置。
【請求項６】
下面にブラシを植設した細長いブラシ杆の中央部に支持杆の下端を取付け、該支持杆の上部と前記ブラシ杆とを張度の調節できるワイヤーで張設した装置において、ブラシ杆の先端部に、清掃すべき水槽等の側壁面及び底面に当接する車輪を出入自在に取付けたことを特徴とする清掃装置。
【考案の詳細な説明】
【技術分野】
【０００１】
この考案は、孵化場、養殖場、養水槽、浄水槽など（以下「水槽等」という）の槽底部を移動させて底面及び側壁と、底面との隅部を清掃することを目的とした清掃装置に関する。
【背景技術】
【０００２】
従来水槽等の底部清掃用としては、池等の底に沿って移動して、該底部を清掃する清掃器と、この清掃器を清掃開始位置と、清掃終了位置との間で往復移動させる駆動手段とからなるブラシ清掃装置が提案されている。
【特許文献１】実用新案登録第２５０４２２５号
【特許文献２】実公昭６２−７２６
【考案の開示】
【考案が解決しようとする課題】
【０００３】
現在使用されている清掃装置は、水槽底面又は水槽側壁面は清掃するけれども、水槽底と、側壁とのなす隅部については、沈殿物が残留するなど、清掃不十分になる問題点があった。
【０００４】
前記特許文献１については、水底面の清掃は良好にできるが、隅部が不十分になり易く、余分の労力を掛けねばならなかった。
【０００５】
また特許文献２についても、水底部と側壁との清掃はできるが、隅部の清掃は不十分であった。
【課題を解決するための手段】
【０００６】
この考案は、ブラシ杆の先端部に、隅部清掃ブラシを側壁に対して離接可能（又は加圧当接）すべく取付けることにより、前記従来の問題点を解決したのである。
【０００７】
即ちこの考案は、下面にブラシを植設した細長いブラシ杆の中央部に支持杆の下端を取付け、該支持杆の上部と前記ブラシ杆とを張度の調節できるワイヤーで張設した装置において、ブラシ杆の両先端部に、清掃すべき水槽等の側壁面下部と、底面とのなす隅部の清掃ブラシを側壁面及び底面に当接できるように取付けたことを特徴とする清掃装置であり、下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端部に、隅部の清掃ブラシを下向き及び斜横向に植設したことを特徴とする清掃装置である。
【０００８】
また、下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端に補助杆を軸方向の位置調節自在に取付け、前記補助杆に、隅部の清掃ブラシを下向き及び斜横向に植設したことを特徴とする清掃装置であり、下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端に補助杆を軸方向の位置調節自在に取付け、前記補助杆に、隅部の清掃ブラシを下向き及び斜横向に植設し、前記補助杆は、側壁面側へスプリングで付勢し、ブラシと側壁面とを弾力的に当接させたことを特徴とする清掃装置である。
【０００９】
次に、下面にブラシを植設した細長いブラシ杆の中央部に支持杆の下端を取付け、該支持杆の上部と前記ブラシ杆とを張度の調節できるワイヤーで張設した装置において、隅部の清掃ブラシは、ブラシ杆の先端に補助杆を軸方向の位置調節自在に取付け、前記補助杆に、隅部の清掃ブラシを下向き及び斜横向に植設し、前記補助杆に、槽底面及び側壁面と弾力的に当接できる車輪を有するキャスターを取付けたことを特徴とする清掃装置であり、下面にブラシを植設した細長いブラシ杆の中央部に支持杆の下端を取付け、該支持杆の上部と前記ブラシ杆とを張度の調節できるワイヤーで張設した装置において、ブラシ杆の先端部に、清掃すべき水槽等の側壁面及び底面に当接する車輪を出入自在に取付けたことを特徴とする清掃装置である。
【００１０】
また補助杆が、外力により後退（ブラシ杆側へ移動）できるようにしてある構造においては、補助杆のブラシ先端と、側壁とを弾力的に当接させることができる。
【００１１】
またブラシ杆及び補助杆には、弾力的に支持されたキャスターを付けたので、ブラシ杆、補助杆は弾力的に支持され、槽底の高低に追随することができる。
【考案の効果】
【００１２】
この考案によれば、ブラシ杆の先端部へ側壁及び隅部清掃用のブラシを植設し、又はブラシ付補助杆を突出量調節自在に取付けたので、清掃すべき水槽等の底部（隅部）寸法に合致して使用し得る効果がある。
【００１３】
前記により、従来の清掃不良の発生率を激減させることができる。
【００１４】
また補助杆をスプリングで付勢したものにあっては、ブラシと、側壁等とを弾力的に当接させることができる効果がある。
【００１５】
次に補助杆にキャスターをスプリング介在のもとに設けたので、補助杆（ブラシ）が弾力的に支持される効果がある。
【考案を実施するための最良の形態】
【００１６】
この考案は、ブラシ杆を水槽等の側壁に沿って槽底部を移動させ、水槽等の底部及び側壁と底部との隅部を清掃するに際し、前記ブラシ杆の先端部（側壁に面する端部）にブラシ付き補助杆を前記側壁に対し、ブラシが当接できるように調節自在に取付けた清掃装置である。
【００１７】
また前記補助杆に固定したブラシが、清掃すべき隅部及び側壁面に適度に当接できるように、弾力的に支持するキャスターを取付けてある。
【００１８】
従ってキャスターの車輪は、ほぼ等圧で水槽等の底面及び側壁面に支持されつつ移動するので、ブラシの先端は必然的に、適度の圧力で、水槽底面及び側壁面に当接し、該部を確実に清掃することができる。
【００１９】
前記補助杆は、ブラシ杆の先端へ、伸縮調節できるように固定してあるので、現場における調節で、最良の状態を保たせて使用することができる。
【００２０】
前記実施する形態は、ブラシ杆が、水槽等の底面上を往復移動して、底面と、隅部とを同時に清掃する場合を規定しているが、水槽等の大きさと比較し、ブラシ杆が小さい場合には、対向する側壁の隅部を同時に清掃できない場合もある。何れにしても、ブラシ杆と補助杆との関係はほぼ同一であって、隅部を確実に清掃することができる。
【００２１】
またブラシ杆の端部へ、補助杆を移動可能に弾力的に取付けておけば、補助杆のブラシ端と、側壁及び隅部とをほぼ同一の弾力により当接することができる（同一圧力によりブラッシングできる）。
【実施例１】
【００２２】
この考案の実施例を図１、２、３について説明すると、下面に、清掃用のブラシ３の基端を固定したブラシ杆２の上部中央に支持杆１の下端を取付けると共に、前記ブラシ杆２の両端部に、清掃用のブラシ４ａ、４ｂを植設した補助杆５を嵌装固定する。前記支持杆１は、ワイヤー３８及びターンバックル３９（又はスプリング）により、ブラシ杆２と、支持杆１の間を張設してある。
【００２３】
前記補助杆５の先端側５ａはブラシ部であって、斜方向ブラシ４ａと、縦方向ブラシ４ｂの基端側を固定し、前記補助杆５上へ水平支板６を固着し、水平支板６上の前後へ、スプリングシリンダー７、７を立設し、前記水平支板６の中央部へスプリングシリンダー８を横設する。前記各スプリングシリンダー７には、ロッド９、９が摺動自在に挿入され、前記ロッド９、９の内端に端面板１１、１１を設け、端面板１１、１１と、前記各スプリングシリンダー７、７の頂内壁との間にスプリング１３、１３を夫々介装する。前記ロッド９、９の外端部には、脚板１４、１４を固定し、脚板１４、１４に車輪１６、１６を回転自在に架設した枠板１７を固定して、キャスター２０を構成する（図２、３、４）。
【００２４】
前記シリンダー８には、ロッド１０が摺動自在に挿入され、前記ロッド１０の内端に、端面板１２を設け、端面板１２と、前記スプリングシリンダー８の頂内壁との間にスプリング１８を介装する。前記ロッド１０の外端部に、支板１９を固定し、支板１９に、車輪２１、２１を回転自在に架設した枠板２２を取付けてキャスター２３を構成した。
【００２５】
前記ブラシ杆２と、補助杆５とは補助杆５の側壁と頂壁に設けた長孔２４、２５と、ボルト２６、２６により、補助杆５の位置を調節することができる。
【００２６】
前記各車輪１６、２１が、水槽の底面２７又は側壁２８に当接し、ブラシ杆２の位置を変えると、水槽の底面及び側壁の状態によって、車輪に受ける外力が変動するので、これにつれてロッド９、１０がスプリング１３、１８に抗し、又はスプリング１３、１８の弾力で、底面形状に沿って移動する。従って各ブラシ３、４ａ、４ｂの先端側はほぼ等圧で壁面へ弾力的に接触する。
【００２７】
前記ブラシ杆２には、取付具１５を介してキャスター２９、２９が取付けてあって、ブラシ杆２を正して支持している。図中３７は車輪である。
【００２８】
前記支持杆１は、動力又は人力で水槽底に沿って移動させるが、動力については従来装置を使用するので、その動作の説明については省略する。
【００２９】
前記において、図４に示すように、ブラシ杆２の先端面は平面図で３０度〜４５度の斜面になっており、夫々前記端面に沿ってブラシ３、４が植設してあるので、図４中矢示３０のように補助杆５を移動させた場合であっても、ブラシが途切れるおそれはない。
【実施例２】
【００３０】
この考案の実施例を図６について説明すると、ブラシ杆２の先端部に、ブラシを植設した補助杆５を嵌装し、補助杆５の上板及び側板に設けた長孔２４、２５と、ブラシ杆２に螺着したボルト２６、２６によって、ブラシ杆２と、補助杆５の嵌装長さを調節することができる。この場合に、ブラシ杆２の最先端部のブラシと、補助嵌５の基端側のブラシとは３０度〜４５度位の傾斜を保って植設してあるので、補助杆５を長孔の長さ分だけずらしても、ブラシが途切れるおそれはない。
【００３１】
前記において、ブラシ杆２の先端部の頂板上に取付け用のブラケット３１、３１が固定してあり、補助杆５の頂板上にも取付け用のブラケット３２、３２が固定してあって、前記ブラケット間に、スプリング３４、３４を嵌装した案内ボルト３３、３３が取付けてあり、前記スプリング３４、３４は、前記ブラケット３１、３２を隔てるように付勢してある。
【００３２】
従ってブラケット３２は、常時矢示３５の方向に付勢されることになっている。そこで補助杆５のブラシ４ｂが、側壁３７を強く押圧すると、その反力により、補助杆５がスプリング３４に抗して矢示３６の方向へ後退することになる。従って、ブラシ４ａと、側壁との当接圧は常時一定に保たれる。
【図面の簡単な説明】
【００３３】
【図１】この考案の実施例の一部を省略した正面図。
【図２】同じく一部拡大正面図。
【図３】同じく拡大側面図。
【図４】同じく拡大平面図。
【図５】（ａ）同じく中間キャスターの取付状態を示す一部を省略した拡大正面図、（ｂ）同じく一部を省略した拡大平面図。
【図６】（ａ）同じく他の実施例の一部拡大正面図、（ｂ）同じく一部拡大平面図。
【符号の説明】
【００３４】
１  支持杆
２  ブラシ杆
３、４ａ、４ｂ  ブラシ
５  補助杆
６  水平支板
７、８  スプリングシリンダー
９、１０  ロッド
１１、１２  端面板
１３、１８  スプリング
１４、１９  脚板
１６、２１、３１  車輪
２２  枠板
２３、２９  キャスター
２７  水槽底面
２８  側壁
【図１】
0003116287.tif 000003
【図２】
0003116287.tif 000004
【図３】
0003116287.tif 000005
【図４】
0003116287.tif 000006
【図５】
0003116287.tif 000007
【図６】
0003116287.tif 000008